(57)【特許請求の範囲】
【請求項１】
ラック基体の正面側と背面側に扉が設けられると共に、該ラック基体の左右両方の側面側に、前後方向に移動して着脱可能な仕切板が設けられているラック単体を構成し、このラック単体の複数台を左右方向に連結して構成するラックにおいて、前記仕切板は、前記ラック基体の左右両方の側面側に、扉と干渉せずに移動して取出可能に配置すると共に、前記仕切板を移動不能とするストッパーを設け、その操作部を、前記扉を隔てたラック内に配置したことを特徴とするラック。
【請求項２】
ストッパーは、ラック基体と仕切板の夫々の対応位置に設けた係合孔と、それらの係合孔に係合するストッパー棒体とから構成されることを特徴とする請求項１に記載のラック。
【請求項３】
ストッパー棒体はラック基体から分離可能である請求項２に記載のラック。
【請求項４】
ストッパー棒体はラック基体に支持されている請求項２に記載のラック。
【発明の詳細な説明】
【技術分野】
【０００１】
本発明は、例えばサーバルームやデータセンタ等に設置して、ラックマウント型サーバや通信機器等の各種機器を格納するラックに関する。
【背景技術】
【０００２】
データセンタ等に設置するラックは、一般に、規模に応じて複数台が連結され、列設状態で設置される。このように使用されるラックでは、機器の設置や保守の容易さとセキュリティを考慮して、例えば、ラック基体の正面側と背面側に扉が設けられると共に、該ラック基体の側面側に、前後方向に移動して着脱可能とする仕切板が設けられた構成が広く使用されている。
【０００３】
このようなラックの従来例としては、例えば特許文献１−３に示すものがある。
まず特許文献１や特許文献２では、ラックの側面側に前後方向に移動して着脱可能とする仕切板は、それを引き出して引き出す方向に扉が位置するようにしており、これにより扉を開かない限り仕切板を引き出せない構成とすることによりセキュリティーを確保している。
【０００４】
次に特許文献３では、列設したラックの左右に隣接した側面側に、隣接のラックに共通の仕切板を着脱可能に設け、該仕切板の挿入口は、左右の一方のラックの扉の開放端と、他方のラックの扉の閉塞端とで閉塞し、これによって一方のラックの扉を開放すると共に他方のラックの扉を引き出した状態でのみ仕切板を取り出し可能としてセキュリティーを確保している。
【０００５】
ところで、列設したラックでは、その設置や保守等において、扉を開く操作を行わずに迅速に仕切板を引き出したい場合もあるが、以上に説明した従来のラックでは、いずれもセキュリティーを確保するために、仕切板を引き出す際には、扉を開くことを条件としているので、扉を開かずに仕切板を引き出すことはできない。
【先行技術文献】
【特許文献】
【０００６】
【特許文献１】特開２００２−２３２１６８号公報
【特許文献２】特開２００２−２９９８６３号公報
【特許文献３】特許第４１２４３３５号公報
【発明の概要】
【発明が解決しようとする課題】
【０００７】
本発明が解決しようとする課題は、従来のラックでは、いずれもセキュリティーを確保するために、仕切板を引き出す際には、扉を開くことを条件としているので、扉を開かずに仕切板を引き出すことはできないことであり、本発明では、これらを解決して、セキュリティーを確保できると共に、必要に応じて、扉を開かずに仕切板を引き出すことを可能とするラックを提供することを目的とする。
【課題を解決するための手段】
【０００８】
以上の課題を解決するために、本発明では、ラック基体の正面側と背面側に扉が設けられると共に、該ラック基体の左右両方の側面側に、前後方向に移動して着脱可能な仕切板が設けられているラック単体を構成し、このラック単体の複数台を左右方向に連結して構成するラックにおいて、前記仕切板は、前記ラック基体の左右両方の側面側に、扉と干渉せずに移動して取出可能に配置すると共に、前記仕切板を移動不能とするストッパーを設け、その操作部を、前記扉を隔てたラック内に配置したラックを提案するものである。
【０００９】
そして本発明では、ストッパーとして、ラック基体と仕切板の夫々の対応位置に設けた係合孔と、それらの係合孔に係合するストッパー棒体とから構成されるラックを提案している。
【００１０】
そして本発明では、ストッパー棒体は、ラック基体から分離可能であっても良いし、ラック基体に支持されている構成であっても良い。
【発明の効果】
【００１１】
本発明によれば、ストッパーを動作させている場合、その操作部は扉を隔てたラック内に配置されているため、操作部によりストッパーの動作を解除するためには扉を開かなければならない。従って、仕切板は扉と干渉せずに移動して取出可能に配置しているものの、ストッパーにより、扉を開かない限り仕切板を引き出せない従来のものと同等のセキュリティーを確保することができる。
【００１２】
一方、ストッパーの動作を解除した状態では、仕切板は扉と干渉せずに移動して取出可能であるため、扉の開閉に係わらず取り出すことができ、従って、設置や保守等において、扉を開く操作を行わずに迅速に仕切板を引き出すことができるため便利である。
【００１３】
本発明では、ラックの両方側の側面に対応する夫々の仕切板に対してストッパーを設けることにより、夫々の仕切板に対してストッパーを独立して動作させることができるので、片側の側面に対応する仕切板のみを引出可能とすることもできる。
【００１４】
ストッパーは、ラック基体と仕切板の夫々の対応位置に設けた係合孔と、それらの係合孔に係合するストッパー棒体とから簡素な構成で実現することができる。
【００１５】
この場合、ストッパー棒体は、ラック基体から分離可能とすることもできるし、リンク機構等により、操作部と共にラック基体に支持される構成とすることもできる。
【図面の簡単な説明】
【００１６】
【図１】本発明に係るラックを、扉を閉とした状態において単体で示した斜視図である。
【図２】図１のラックを、扉を開いた状態において示した斜視図である。
【図３】図２の状態から、ストッパーの動作を解除して、仕切板を引き出そうとしている状態を示す斜視図である。
【図４】図３の状態から、仕切板を引き出した状態を示す斜視図である。
【図５】図４の状態から、扉を閉じて施錠した状態を示す斜視図である。
【図６】図４の状態のラックを、複数台列設した状態において示す斜視図である。
【図７】図２のＡで示す円内の拡大図である。
【図８】図３のＣで示す円内の拡大図である。
【図９】図２のＢで示す円内の拡大図である。
【図１０】図９の状態から、仕切板を引き出そうとしている状態を示す拡大図である。
【図１１】本発明に係るラックの要部を、ストッパーが設けられている個所において切断して示す拡大横断面図である。
【図１２】図１１においてストッパーの動作を解除した状態を示す拡大横断面図である。
【図１３】図１２において扉を閉め、施錠した状態で仕切板を移動して引き出している状態を示す拡大横断面図である。
【発明を実施するための形態】
【００１７】
次に本発明を実施するための形態を添付図面を参照して説明する。
図に示されるように、この実施の形態に係るラックの基本的構成は、従来の構成と同様に、ラック基体１の正面側と背面側に扉２が設けられると共に、ラック基体１の側面側に、前後方向に移動して着脱可能な仕切板３が設けられた構成である。ラック基体１は、マウントアングルやマウントレール等の取付部材４やコンセントバー５等の部材を配置した構成であるが、このような部材は適宜に構成することができる。
【００１８】
実施の形態において、仕切板３は、ラックの側面を、前後と上下に分割した４枚から構成されており、夫々はラック基体１の側面側に設けた上部案内部材６ｕ、中間部案内部材６ｍ、下部案内部材６ｄによってラックの前後方向に移動可能に支持されている。
【００１９】
この際、本発明では、仕切板３は扉２と干渉せずに移動して取出可能に配置していると共に、仕切板３を移動不能とするためのストッパー７を設けており、その操作部８は、前記扉２を隔てたラック内に配置している。
【００２０】
この実施の形態では、ストッパー７は、ラック基体１と仕切板３の夫々の対応位置に設けた係合孔９，１０と、それらの係合孔９，１０に係合するストッパー棒体１１とから構成しており、この構成では、ストッパー棒体１１の頭部１２が操作部８を構成している。このストッパー棒体１１及び係合孔９，１０の少なくとも一方側は、ねじとして構成して、螺合により上記係合孔９，１０に係合した状態を保持するように構成する他、ねじとしては構成せず、弾性部材や可動爪等の係止部材を用いた適宜の保持機構により保持する構成とすることができる。
【００２１】
尚、図中、符号１３は扉２を開閉可能に支持する蝶番部材、１４は仕切板３を移動操作するための取手部材、１５は扉２の施錠部兼用の取手部材を示すものである。
【００２２】
以上の構成のラックは、データセンタ等の規模に応じて、例えば図６に示すように複数台が連結され、列設状態で設置されるのであるが、図１〜図５においては、便宜的に一台のみを図示して動作の説明を行う。
【００２３】
まず図１は扉２が閉じられ、施錠された状態を示すもので、この状態で図１１に示すように、予め、ストッパー棒体１１を係合孔９，１０に係合しておき、ストッパー７を動作状態としている場合には、仕切板３は、取手部材１４により引き出そうとしても引き出すことができず、セキュリティーを確保できる。
【００２４】
そこで、仕切板３を引き出そうとする場合には、図２に示すように、まず施錠を解いて取手部材１５により扉２を開き、次いでストッパー７を構成しているストッパー棒体１１の操作部８、即ち頭部１２を操作して、図７から図８又は図１２に示すように、ストッパー７の動作を解除する。
【００２５】
尚、本発明では、ラックの両方側の側面に対応する夫々の仕切板３に対してストッパー７を設けることにより、夫々の仕切板３に対してストッパー７を独立して動作させることができるので、図１２、図１３に示すように、片側、この場合、図中右側の側面に対応する仕切板３のみを引出可能とするようなこともできる。
【００２６】
こうしてストッパー７の動作を解除すると、図３から図４又は図１３に示すように仕切板３を引き出すことができる。尚、図３に示すようにストッパー７の動作を解除した後、扉２を閉め、施錠した状態においても、図５に示すように仕切板３を引き出すことができる。また引き出した仕切板３は、逆の動作により、元に戻すことができる。
【００２７】
以上に説明した実施の形態では、ストッパー７は、ラック基体１と仕切板３の夫々の対応位置に設けた係合孔９，１０と、それらの係合孔９，１０に係合するストッパー棒体１１とから簡素な構成で実現することができる。
【００２８】
そして、ストッパー棒体１１と、対応する係合孔９，１０は、ねじの螺合により動作状態を保持できるように構成することもできるし、ねじ以外の係合により保持する構成とすることもでき、またストッパー棒体１１は、ラック基体１から分離可能とすることもできるし、リンク機構等により、操作部８と共にラック基体１に支持される構成とすることもできる。
【符号の説明】
【００２９】
１              ラック基体
２              扉
３              仕切板
４              取付部材
５              コンセントバー
６              案内部材
６ｕ          上部案内部材
６ｍ          中間部案内部材
６ｄ          下部案内部材
７              ストッパー
８              操作部
９，１０        係合孔
１１            ストッパー棒体
１２            頭部
１３            蝶番部材
１４，１５      取手部材
【図１】
0005637788.tif 000002
【図２】
0005637788.tif 000003
【図３】
0005637788.tif 000004
【図４】
0005637788.tif 000005
【図５】
0005637788.tif 000006
【図６】
0005637788.tif 000007
【図７】
0005637788.tif 000008
【図８】
0005637788.tif 000009
【図９】
0005637788.tif 000010
【図１０】
0005637788.tif 000011
【図１１】
0005637788.tif 000012
【図１２】
0005637788.tif 000013
【図１３】
0005637788.tif 000014